(57)【要約】      （修正有）【課題】簡易な構造で、取付対象物に対して容易に着脱でき、かつ、安定的な取付状態を維持できる線状体用クリップを提供する。【解決手段】線状体用クリップ１は、保持体５と、取付体６とを備えている。取付体は、取付対象物３の係止孔２５に挿通可能に構成された突出部２１と、係止孔への突出部の挿通時に突出部と共に係止孔に挿通されるように突出部に近接する方向に弾性的に撓み可能に、かつ、撓みながら係止孔に挿通されたときに係止孔の縁部に係止されるように弾性復帰可能に構成された係止部２２と、係止部と連動連結され、係止部が係止孔の縁部と係止された場合に、この係止を解除すべく係止部を撓ませるための解除操作を取付対象物に対して保持体側から実行できるように、係止孔から保持体側へ突出し得る操作部３３とを有している。【選択図】図１
2017041930.tif 000002
【特許請求の範囲】
【請求項１】
線状体を取付対象物に取り付けるために、前記線状体を保持しつつ前記取付対象物に固定されるように構成された線状体用クリップであって、
前記線状体を保持するための保持体と、
前記保持体に直接又は間接的に連結され、前記取付対象物に着脱可能に取り付けられるように構成された取付体とを備え、
前記取付体が、
前記保持体側から突出するように設けられ、その突出端部から前記取付対象物の係止孔に挿通可能に構成された突出部と、
前記突出部と対向し得るように前記突出部の突出端部側から延設され、前記係止孔への前記突出部の挿通時に前記突出部と共に前記係止孔に挿通されるように前記突出部に近接する方向に弾性的に撓み可能に、かつ、撓みながら前記係止孔に挿通されたときに前記係止孔の縁部に前記取付対象物を挟んで前記保持体と反対側から係止されるように弾性復帰可能に構成された係止部と、
前記係止部と連動連結され、前記係止部が前記係止孔の縁部と係止された場合に、この係止を解除すべく前記係止部を撓ませるための解除操作を前記取付対象物に対して前記保持体側から実行できるように、前記係止孔から前記保持体側へ突出し得る操作部とを有していることを特徴とする線状体用クリップ。
【請求項２】
前記操作部は、
前記保持体においてこれに保持される前記線状体が延びる方向と交差する方向の任意位置に配置されることを特徴とする請求項１に記載の線状体用クリップ。
【請求項３】
前記操作部と接触しないように前記保持体又は／及び前記取付体の突出部の基端部側から前記突出部の突出端部側に向かって延設され、前記係止部が前記取付対象物の係止孔の縁部に係止された場合に当該取付対象物に前記保持体側から圧接され得る接触部を備えていることを特徴とする請求項１又は請求項２に記載の線状体用クリップ。
【請求項４】
前記保持体及び／又は前記取付体の突出部は、
前記操作部の解除操作が実行されたときにこの操作部を受けることができる受け部を有していることを特徴とする請求項１から請求項３のいずれか一項に記載の線状体用クリップ。
【発明の詳細な説明】
【技術分野】
【０００１】
本発明は、線状体用クリップに関する。
【背景技術】
【０００２】
従来、線状体（具体的には、コルゲート管又はワイヤハーネス等）を取付対象物（具体的には、パネル等）に取り付けるために、前記線状体を保持しつつ前記取付対象物に固定され得る線状体用クリップが用いられる。この種の線状体用クリップに相当するものとしては、例えば、引用文献１に記載のコルゲートクランプ、及び、引用文献２に記載のコルゲートクランプが知られている。
【０００３】
引用文献１に記載のコルゲートクランプは、コルゲート管を保持するための保持材と、車体パネルに取り付けられるように構成された係止部とを備えている。前記係止部は、前記保持材に連結されて、前記コルゲートクランプを前記車体パネルに取り付けるために、前記車体パネルに設けられた貫通穴に挿入係止可能とされている。
【０００４】
詳しくは、前記係止部は、前記保持材から突出する軸部と、この軸部の先端から両側に突出する係止羽根とを用いて構成されている。そして、前記係止部は、前記貫通穴に挿入された後、前記係止羽根を、前記車体パネルを挟んで前記保持材と反対側に位置させた状態で、前記貫通穴の縁部に係止させることができるようになっている。
【０００５】
しかしながら、引用文献１に記載のコルゲートクランプによれば、前記係止羽根が前記貫通穴の縁部との係止時に突出端部を前記貫通穴内に嵌め込む形態をとるので、前記係止羽根と前記貫通穴の縁部との係止を解除しにくくなっていた。特に、前記車体パネルを挟んで前記保持材と反対側から解除を行わなければならない場合には、その作業が非常に困難なものになっていた。
【０００６】
また、引用文献２に記載のコルゲートクランプは、コルゲート管を保持するための基部及び蓋部と、車体パネルに着脱可能に取り付けられるように構成されたブラケット部とを備えている。前記ブラケット部は、前記基部から突出されて、前記コルゲートクランプを前記車体パネルに取り付けるために、前記車体パネルに突設された係止片を挿入係止可能とされている。
【０００７】
しかしながら、引用文献２に記載コルゲートクランプによれば、このコルゲートクランプが比較的複雑な構造をとることに起因して、これを前記車体パネルに取り付ける場合に、前記ブラケット部に挿入係止可能な前記係止片を別途準備し、さらには前記車体パネルの所定位置に固定しなければならなかったので、前記コルゲートクランプの取付作業が手間のかかるものとなっていた。
【先行技術文献】
【特許文献】
【０００８】
【特許文献１】特開２００８−０２２６８０号公報
【特許文献２】特開２００９−１６５２１６号公報
【発明の概要】
【発明が解決しようとする課題】
【０００９】
本発明は、このような事情に鑑みてなされたものであり、簡易な構造で、取付対象物に対して容易に着脱でき、かつ、安定的な取付状態を維持できる線状体用クリップの提供を目的とする。
【課題を解決するための手段】
【００１０】
請求項１に係る発明は、
線状体を取付対象物に取り付けるために、前記線状体を保持しつつ前記取付対象物に固定されるように構成された線状体用クリップであって、
前記線状体を保持するための保持体と、
前記保持体に直接又は間接的に連結され、前記取付対象物に着脱可能に取り付けられるように構成された取付体とを備え、
前記取付体が、
前記保持体側から突出するように設けられ、その突出端部から前記取付対象物の係止孔に挿通可能に構成された突出部と、
前記突出部と対向し得るように前記突出部の突出端部側から延設され、前記係止孔への前記突出部の挿通時に前記突出部と共に前記係止孔に挿通されるように前記突出部に近接する方向に弾性的に撓み可能に、かつ、撓みながら前記係止孔に挿通されたときに前記係止孔の縁部に前記取付対象物を挟んで前記保持体と反対側から係止されるように弾性復帰可能に構成された係止部と、
前記係止部と連動連結され、前記係止部が前記係止孔の縁部と係止された場合に、この係止を解除すべく前記係止部を撓ませるための解除操作を前記取付対象物に対して前記保持体側から実行できるように、前記係止孔から前記保持体側へ突出し得る操作部とを有しているものである。
【００１１】
この構成によれば、前記線状体用クリップを簡易な構造で構成できる。そのうえ、前記保持体により前記線状体を保持しつつ、前記係止部を前記取付対象物の係止孔の縁部に係止させて前記取付体を前記取付対象物に固定できるので、前記線状体用クリップひいてはこれに保持された前記線状体を前記取付対象物に容易に且つ安定的に取り付けることができる。
【００１２】
さらに、前記線状体用クリップが前記パネルに取り付けられている場合には、前記操作部を手動操作等により簡単に解除操作して、前記取付対象物の係止孔の縁部に対する前記係止部の係止を解除し、前記取付体を前記取付対象物から引き抜くことができる。よって、前記線状体用クリップひいては前記線状体を前記取付対象物から容易に取り外すことができる。
【００１３】
請求項２に係る発明は、請求項１に記載の線状体用クリップにおいて、
前記操作部が、前記保持体においてこれに保持される前記線状体が延びる方向と交差する方向の任意位置に配置されるものである。
【００１４】
この構成によれば、前記保持体に保持された前記線状体に邪魔されることなく、前記操作部の解除操作を行うことが可能となる。よって、前記線状体用クリップの取外作業を容易化できる。
【００１５】
請求項３に係る発明は、請求項１又は請求項２に記載の線状体用クリップにおいて、
前記操作部と接触しないように前記保持体又は／及び前記取付体の突出部の基端部側から前記突出部の突出端部側に向かって延設され、前記係止部が前記取付対象物の係止孔の縁部に係止された場合に当該取付対象物に前記保持体側から圧接され得る接触部を備えるものである。
【００１６】
この構成によれば、前記線状体用クリップが前記取付対象物に取り付けられたとき、即ち前記係止部が前記取付対象物の係止孔の縁部に係止されたとき、前記接触部が前記係止部と協働してその挿通方向両側から前記取付対象物を挟持することとなる。よって、前記取付対象物に対する前記線状体用クリップの取付状態の安定化を図ることができる。
【００１７】
請求項４に係る発明は、請求項１から請求項３のいずれか一項に記載の線状体用クリップにおいて、
前記保持体及び／又は前記取付体の突出部が、
前記操作部の解除操作が実行されたときにこの操作部を受けることができる受け部を有しているものである。
【００１８】
この構成によれば、前記操作部の解除操作が実行されたとき、前記突出部側へ移動する前記操作部を前記受け部で受けて、前記操作部の最大操作位置を規制できるとともに、前記操作部を前記最大操作位置で安定して保持できる。よって、前記操作部の解除操作、即ち前記線状体用クリップの取外作業を円滑に行うことが可能となる。
【発明の効果】
【００１９】
本発明によれば、簡易な構造で、取付対象物に対して容易に着脱でき、かつ、安定的な取付状態を維持できる線状体用クリップを提供できる。
【図面の簡単な説明】
【００２０】
【図１】本発明の一実施形態に係る線状体用クリップの使用状態を示す斜視図である。
【図２】図１の線状体用クリップの開状態を示す正面図である。
【図３】図１の線状体用クリップの開状態を示す側面図である。
【図４】図１の線状体用クリップの開状態を示す平面図である。
【図５】図１の線状体用クリップの開状態を示す底面図である。
【図６】図１の線状体用クリップの使用状態を示す側面図である。
【図７】図１の線状体用クリップの使用状態における断面図である。
【図８】図１の線状体用クリップの使用中断時の状態を示す断面図である。
【発明を実施するための形態】
【００２１】
本発明の実施形態について図面を参照しつつ説明する。
【００２２】
図１に、本発明の一実施形態に係る線状体用クリップ１の使用状態を表す斜視図を示す。図２に、開状態である前記線状体用クリップ１の正面図を示す。図３に、開状態である前記線状体用クリップ１の側面図を示す。図４に、開状態である前記線状体用クリップ１の平面図を示す。図５に、開状態である前記線状体用クリップ１の底面図を示す。
【００２３】
図１に示すように、前記線状体用クリップ１は、本実施形態においては、コルゲート管２（線状体の一例）と、パネル３（取付対象物の一例）と共に使用されるものである。前記線状体用クリップ１は、前記コルゲート管２を前記パネル３に取り付けるために、前記コルゲート管２を保持しつつ前記パネル３に固定されるように構成されている。
【００２４】
なお、本発明に係る線状体用クリップは、本実施形態においては前記コルゲート管２を前記パネル３に取り付けるための前記線状体用クリップ１としているが、これに限定されるものではなく、例えば、ワイヤハーネス（線状体の他の例）を板状部材（取付対象物の他の例）に取り付けるための線状体用クリップとすることも可能である。
【００２５】
図２、図３、図４及び図５にも示すように、前記線状体用クリップ１は、保持体５と、取付体６とを備えている。前記保持体５は、前記コルゲート管２を保持するためのものである。前記取付体６は、前記保持体５に直接又は間接的（ここでは直接的）に連結され、前記パネル３に着脱可能に取り付けられるように構成されている。
【００２６】
本実施形態において、前記線状体用クリップ１は、樹脂を用いて製造されたものであり、前記コルゲート管２を前記保持体５により保持し得る閉状態（図１参照）と、前記コルゲート管２を前記保持体５により保持させるための又は前記保持体５から除去するための開状態（図２・図３・図４・図５参照）とをとり得るように構成されている。
【００２７】
前記保持体５は、本体部８と、この本体部８に重合可能な可動部９とを有している。前記本体部８は、円筒状の前記コルゲート管２における所定領域の略半周部分を支持するためのものである。前記可動部９は、前記コルゲート管２における前記所定領域の残りの略半周部分を覆うためのものであり、前記本体部８に対してヒンジ部１０を介して回動自在に連結されている。
【００２８】
前記本体部８は、前記コルゲート管２の形状に対応する断面円弧状の内周部を備えている。前記可動部９は、前記コルゲート管２の形状に対応する断面円弧状の内周部を備えている。そして、前記可動部９が、その内周部と前記本体部８の内周部との間に前記コルゲート管２を挟持できるように、前記本体部８に対して開閉可能に且つロック可能に構成されている。
【００２９】
前記本体部８は、ロック爪１１を有するロック片１２を有している。前記ロック片１２は、複数（ここでは２つ）設けられており、前記本体部８の軸方向（長手方向）に関して互いに所定間隔を隔てて配置されている。前記ロック片１２は、前記本体部８の内周部を挟んで前記ヒンジ部１０と反対側に位置する端部に突出するように設けられている。
【００３０】
前記可動部９は、前記ロック片１２を挿通させ得るロック孔１３を有している。前記ロック孔１３は、前記ロック片１２に対応する数（ここでは２つ）設けられており、前記ロック片１２に対応するように前記可動部９の軸方向に関して互いに所定間隔を隔てて配置されている。前記ロック孔１３は、前記可動部９の内周部を挟んで前記ヒンジ部１０と反対側に位置する端部に設けられている。
【００３１】
前記ロック孔１３の内部には、係合部１４が設けられている。この係合部１４は、前記可動部９が前記本体部８に対して閉じられる際（前記線状体用クリップ１が閉状態にされる際）、前記ロック孔１３に挿通された前記ロック片１２のロック爪１１と係合され得るものである。前記係合部１４が前記ロック爪１１と係合すると、前記可動部９が閉じた状態でロックされることとなる。
【００３２】
前記本体部８の内周部には、第１突部１５が設けられている。前記第１突部１５は、前記本体部８が前記コルゲート管２を支持する際に当該コルゲート管２の凹溝１６に嵌合可能なものである。前記第１突部１５は、複数（ここでは４つ）設けられ、前記凹溝１６の形状に合わせて円弧板状に形成されるとともに、前記本体部８の軸方向に関して互いに所定間隔を隔てて配置されている。
【００３３】
前記可動部９の内周部には、第２突部１７が設けられている。前記第２突部１７は、前記可動部９が前記コルゲート管２を覆う際に当該コルゲート管２の凹溝１６に嵌合可能なものである。前記第２突部１７は、複数（ここでは４つ）設けられ、前記凹溝１６の形状に合わせて円弧板状に形成されるとともに、前記本体部８の軸方向に関して互いに所定間隔を隔てて配置されている。
【００３４】
こうして、前記保持体５は、図１及び図６に示すように、前記コルゲート管２を前記第１突部１５及び前記第２突部１７を前記コルゲート管２の凹溝１６と嵌合させることにより位置規制しつつ前記本体部８及び前記可動部９で挟持するとともに、この状態（前記可動部９を閉じた状態）を維持することができる、即ち前記コルゲート管２を保持できるようになっている。
【００３５】
また、前記線状体用クリップ１において、前記取付体６は、突出部２１と、係止部２２とを有している。前記突出部２１は、前記保持体５側から突出するように設けられ、その突出端部２３から前記パネル３の係止孔２５に挿通可能に構成されている。前記係止部２２は、前記突出部２１と対向し得るように前記突出部２１の突出端部２３側から延設されている。
【００３６】
前記係止部２２は、前記係止孔２５への前記突出部２１の挿通時に前記突出部２１と共に前記係止孔２５に挿通されるように前記突出部２１に近接する方向に弾性的に撓み可能に、かつ、当該係止部２２が撓みながら前記係止孔２５に挿通されたときに前記係止孔２５の縁部に前記パネル３を挟んで前記保持体５と反対側から係止される（図７参照）ように弾性復帰可能に構成されている。
【００３７】
本実施形態において、前記突出部２１は、前記保持体５の本体部８からその軸方向と略直交する方向に突設されている。前記突出部２１は、所定の突出長さを有し、Ｈ字形状に形成されている。詳しくは、前記突出部２１は、前記本体部８の略中央部から直線状に延びる角柱状のベース２７と、その４つの角部から前記本体部８の略軸方向へ突出するリブ２８を備えている。
【００３８】
前記係止部２２は、前記突出部２１の突出端部２３から前記本体部８側へ向かって延設されている。前記係止部２２は、複数（ここでは２つ）設けられており、前記突出部２１を挟むように（詳しくは、前記突出部２１の突出方向と略直交する方向に関して一方の前記係止部２２、前記突出部２１、他方の前記係止部２２の順にこれらが略一直線上に並ぶように）配置されている。
【００３９】
前記係止部２２は、正面視で前記突出端部２３から前記本体部８側へいくに従って前記突出部２１に対し徐々に離れていくように斜設され、対向する前記突出部２１から最も離れた領域（最外側領域）に段差部３０を備えている。前記段差部３０は、前記パネル３の楕円状の係止孔２５の縁部と係合可能な爪として機能する部分であり、前記係止部２２の延出方向中途部に配置されている。
【００４０】
前記段差部３０は、図２に示す通常位置では前記突出部２１の突出方向中途部と所定間隔隔て対向するように配置され、前記係止部２２が前記係止孔２５に挿通される際に前記パネル３と圧接しその圧接に伴い前記突出端部２３との連結部分を支点として撓まされると、前記通常位置よりも前記突出部２１の突出方向中途部に近づき前記係止孔２５を通過し得るようになっている。
【００４１】
そして、前記係止部２２は、前記段差部３０が前記係止孔２５を通過すると前記パネル３との圧接を解除され、撓み状態から弾性復帰するように構成されている。この弾性復帰時には、図７に示すように、前記係止部２２（前記段差部３０）が前記パネル３に対して反前記保持体５側で前記係止孔２５の縁部に係止され、これにより前記取付体６が前記パネル３に貫通状態で固定されることとなる。
【００４２】
さらに、前記取付体６は、操作部３３を有している。前記操作部３３は、前記係止部２２と連動連結され、前記係止部２２が前記係止孔２５の縁部と係止された場合に、この係止を解除すべく前記係止部２２を撓ませるための解除操作を前記パネル３に対して前記保持体５側から実行できるように、前記係止孔２５から前記保持体５側へ突出し得る構成とされている（図７及び図８参照）。
【００４３】
本実施形態において、前記操作部３３は、前記係止部２２と一体連結されている。前記操作部３３は、前記段差部３０から前記突出部２１及び前記本体部８に沿って延びており、通常時には前記突出部２１及び前記本体部８の一部と所定間隔を隔て対向し（図２・図７参照）、外力が加えられるとその位置から前記突出部２１側へ移動する解除操作を実行され得る（図８参照）ようになっている。
【００４４】
詳しくは、前記操作部３３は、前記段差部３０から直線状に延びる薄板状に形成され、平面視で外側へ凸となる円弧状の外周面を有している。そして、前記操作部３３は、前記係止孔２５から前記保持体５側へ突出する際に、突出端を前記本体部８の側方に位置させつつ、外力の付加（摘まむ等）が容易となる程度に前記係止孔２５から前記保持体５側へ突出するように構成されている。
【００４５】
こうして、前記取付体６は、前記係止部２２を撓ませながら前記突出部２１と共に前記パネル３の係止孔２５に挿通し、前記係止部２２（前記段差部３０）を前記係止孔２５の縁部に係止できる、即ち前記パネル３に固定され得るようになっている。よって、前記線状体用クリップ１が、前記保持体５及び前記取付体６を用いて前記コルゲート管２を前記パネル３に取り付けることが可能となる。
【００４６】
また、このような取付状態では、図８に示すように、前記操作部３３を前記保持体５側で解除操作でき、この解除操作により前記操作部３３に前記係止部２２を連動させて撓ませて、前記段差部３０を挿通時とは逆方向に前記係止孔２５を通過させ、前記係止部２２を前記パネル３から引き抜くことが可能となる、即ち前記線状体用クリップ１を前記パネル３から取り外すことが可能となる。
【００４７】
以上のような構成により、前記線状体用クリップ１を簡易な構造で構成できる。そのうえ、前記保持体５により前記コルゲート管２を保持しつつ、前記係止部２２を前記パネル３の係止孔２５の縁部に係止させて前記取付体６を前記パネル３に固定できるので、前記線状体用クリップ１ひいてはこれに保持された前記コルゲート管２を前記パネル３に容易に且つ安定的に取り付けることができる。
【００４８】
さらに、前記線状体用クリップ１が前記パネル３に取り付けられている場合には、前記操作部３３を手動操作等により簡単に解除操作して、前記パネル３の係止孔２５の縁部に対する前記係止部２２の係止を解除し、前記取付体６を前記パネル３から引き抜くことができる。よって、前記線状体用クリップ１ひいては前記コルゲート管２を前記パネル３から容易に取り外すことができる。
【００４９】
また、本実施形態においては、前記操作部３３が、前記保持体５の軸方向（これに保持される前記コルゲート管２が延びる方向）と交差する方向（詳しくは、略直交する方向）の任意位置に配置されているので、前記保持体５に保持された前記コルゲート管２に邪魔されることなく、前記操作部３３の解除操作を行うことが可能となる。よって、前記線状体用クリップ１の取外作業を容易化できる。
【００５０】
また、本実施形態においては、前記線状体用クリップ１が接触部３５を備えている。前記接触部３５は、前記操作部３３と接触しないように前記保持体５又は／及び前記取付体６の突出部２１の基端部３６側から前記突出部２１の突出端部２３側に向かって延設され、前記係止部２２が前記パネル３の係止孔２５の縁部に係止された場合に当該パネル３に前記保持体５側から圧接され得る。
【００５１】
図３及び図５等に示すように、前記接触部３５は、前記本体部８から前記本体部８側へ向かって傾斜状に延出するように設けられている。前記接触部３５は、複数（ここでは２つ）設けられており、前記突出部２１を挟むように（詳しくは、前記本体部８の軸方向に関して一方の前記接触部３５、前記突出部２１、他方の前記接触部３５の順にこれらが略一直線上に並ぶように）配置されている。
【００５２】
前記接触部３５は、その延出端部３７が前記突出部２１の突出方向中途部と所定間隔を隔てて対向するように配置され、前記本体部８との連結部分を支点として弾性的に撓み可能とされている。こうして、前記接触部３５は、図６に示すように、前記係止部２２の挿通係止時に前記パネル３に対して前記保持体５側に位置しつつ、前記延出端部３７で圧接され得るようになっている。
【００５３】
このような構成により、前記線状体用クリップ１が前記パネル３に取り付けられたとき、即ち前記係止部２２が前記パネル３の係止孔２５の縁部に係止されたとき、前記接触部３５が前記係止部２２（前記段差部３０）と協働してその挿通方向両側から前記パネル３を挟持することとなる。よって、前記パネル３に対する前記線状体用クリップ１の取付状態の安定化を図ることができる。
【００５４】
また、本実施形態においては、前記保持体５及び／又は前記取付体６の突出部２１が、受け部３９を有している。前記受け部３９は、前記操作部３３の解除操作が実行されたときに近接する前記操作部３３を受けることができるように構成されている。図１、図３及び図４等に示すように、前記受け部３９は、前記操作部３３の一部と当接可能な傾斜状の当接部分を有している。
【００５５】
前記受け部３９は、前記本体部８から前記突出部２１の基端部３６に跨るように形成されている。前記受け部３９は、前記操作部３３に対応する数（ここでは２つ）設けられており、前記操作部３３側に開口する傾斜状の凹溝形状をとって、解除操作時に前記操作部３３（その内側の突起４０）を前記当接部分に当接させて受けることができるように構成されている。
【００５６】
このような構成により、前記操作部３３の解除操作が実行されたとき、前記突出部２１側へ移動する前記操作部３３を前記受け部３９で受けて、前記操作部３３の最大操作位置を規制できるとともに、前記操作部３３を前記最大操作位置で安定して保持できる。よって、前記操作部３３の解除操作、即ち前記線状体用クリップ１の取外作業を円滑に行うことが可能となる。
【００５７】
また、本実施形態においては、前記線状体用クリップ１が前記パネル３に取り付けられたとき、前記操作部３３が、前記保持体５の軸方向と交差する方向に関して、前記保持体５の外周面よりも内側に配置されている（図７参照）。よって、前記操作部３３に意図せぬ外力が作用して、前記操作部３３の解除操作が行われる、前記線状体用クリップ１の脱落が発生することを極力防止できる。
【００５８】
なお、前記線状体用クリップ１が前記パネル３に取り付けられたときに、前記操作部３３に意図せぬ外力が作用することを考慮する必要がない場合などには、前記とは反対に、前記操作部３３を、前記保持体５の軸方向と交差する方向に関して、前記保持体５の外周面よりも外側に配置してもよい。これによれば、前記操作部３３の解除操作をより実行しやすいものにできる。
【符号の説明】
【００５９】
１    線状体用クリップ
２    コルゲート管（線状体）
３    パネル（取付対象物）
５    保持体
６    取付体
２１  突出部
２２  係止部
２５  係止孔
３３  操作部
【図１】
2017041930.tif 000003
【図２】
2017041930.tif 000004
【図３】
2017041930.tif 000005
【図４】
2017041930.tif 000006
【図５】
2017041930.tif 000007
【図６】
2017041930.tif 000008
【図７】
2017041930.tif 000009
【図８】
2017041930.tif 000010